Podtech/llm-jp-corpus-v4-ja_patent huggingface dataset:
【手続補正書】
【提出日】平成21年5月21日(2009.5.21)
【手続補正１】
【補正対象書類名】特許請求の範囲
【補正対象項目名】全文
【補正方法】変更
【補正の内容】
【特許請求の範囲】
【請求項１】
自動車あるいは車両の外面の被洗浄面に付着した汚れ等を洗浄する為の洗車機に使用する洗車機用洗浄ブラシにおいて、前記洗車機用洗浄ブラシは、ブラシ片及びブラシ軸を有すると共に、前記ブラシ片は前記ブラシ軸の外周部に形成されてあり、一片の前記ブラシ片により前記ブラシ軸の長手方向にたいして複数の回転軌跡を有することを特徴とする洗車機用洗浄ブラシ。
【請求項２】
請求項１記載の構成よりなる洗車機用洗浄ブラシにおいて、ブラシ片の洗浄側近傍に位置する自由端部の端辺が、ブラシ軸の長手方向にたいして略平行にて形成されてあることを特徴とする洗車機用洗浄ブラシ。
【請求項３】
請求項１又は２記載の構成よりなる洗車機用洗浄ブラシにおいて、ブラシ片は、複数の自由端部を有し、該複数の自由端部は各々が異材質にて形成されてあると共に、被洗浄面にたいして前記複数の自由端部の各々が、順次、当接するよう形成されてあることを特徴とする洗車機用洗浄ブラシ。
【請求項４】
駆動源と、被洗浄面に散布する洗浄剤及び洗浄水を噴出させるノズルと、洗浄後の被洗浄面を乾燥させる乾燥手段を備えると共に、請求項１から３のいずれか１項に記載の洗車機用洗浄ブラシを搭載した洗車機。
【手続補正２】
【補正対象書類名】明細書
【補正対象項目名】００１６
【補正方法】変更
【補正の内容】
【００１６】
第３の発明は、特に、第１あるいは第２の発明の洗車機用洗浄ブラシにおいて、ブラシ片は、複数の自由端部を有し、該複数の自由端部は各々が異材質にて形成されてあると共に、被洗浄面にたいして前記複数の自由端部の各々が、順次、当接するよう形成されてあるもので、異なる洗浄機能を有する自由端部が、洗車中に順次、被洗浄面に当接する。例えば、被洗浄面に付着している汚れの掻き取りと拭き取り、擦り取りと拭き取り、掃き取りと擦り取り、叩き落しと磨き上げ等の様々な洗浄機能の組み合わせが可能であり、飛躍的に洗浄性が向上する。
【手続補正書】
【提出日】平成21年5月26日(2009.5.26)
【手続補正１】
【補正対象書類名】特許請求の範囲
【補正対象項目名】全文
【補正方法】変更
【補正の内容】
【特許請求の範囲】
【請求項１】
遊技機に備えられた発光ダイオードの発光態様を決定する中央演算処理装置からのコマンドに従って、該発光ダイオードの発光輝度を複数の階調値に変化させて制御する遊技機用回路であって、  前記制御可能な複数の階調値のいくつかを指定した階調値テーブルを、複数記憶する階調値記憶部と、  前記階調値テーブルに指定された階調値を並べる配列を規定した配列テーブルを、複数記憶する配列記憶部と、  前記階調値テーブルおよび前記配列テーブルの組み合わせを特定したコマンドを、前記中央演算処理装置から受け取るコマンド受取部と、  前記コマンドに特定された階調値テーブルおよび配列テーブルを用いて、該階調値テーブルの階調値を該配列テーブルの配列に従って並べた階調パターンデータを生成するパターン生成部と、  前記発光ダイオードに供給する電流のパルス幅を、前記生成した階調パターンデータに従って切り替えるパルス制御部と  を備える遊技機用回路。
【請求項２】
請求項１記載の遊技機用回路であって、  新規の階調値テーブルを前記中央演算処理装置から受け取る階調値テーブル受取部と、  前記受け取った新規の階調値テーブルを、前記階調パターンデータの生成に用いる階調値テーブルとして前記階調値記憶部に格納する階調値テーブル格納部と  を備える遊技機用回路。
【請求項３】
請求項１または２記載の遊技機用回路であって、  新規の配列テーブルを前記中央演算処理装置から受け取る配列テーブル受取部と、  前記受け取った新規の配列テーブルを、前記階調パターンデータの生成に用いる配列テーブルとして前記配列記憶部に格納する配列テーブル格納部と  を備える遊技機用回路。
【手続補正書】
【提出日】平成21年5月25日(2009.5.25)
【手続補正１】
【補正対象書類名】特許請求の範囲
【補正対象項目名】全文
【補正方法】変更
【補正の内容】
【特許請求の範囲】
【請求項１】
眼内挿入用レンズの挿入器具であって、
該挿入器具の内部に、乾燥により固形化された水溶性高分子物質が設けられていることを特徴とする挿入器具。
【請求項２】
請求項１に記載の挿入器具と、
該挿入器具内にて保持された眼内挿入用レンズとを有することを特徴とする眼内挿入用レンズ内装型挿入器具。
【請求項３】
眼内挿入用レンズの挿入器具内に前記眼内挿入用レンズを収容する工程と、
該挿入器具の内部に、乾燥により固形化された水溶性高分子物質を配置する工程とを有することを特徴とする眼内挿入用レンズの挿入器具の製造方法。
【手続補正書】
【提出日】平成21年5月14日(2009.5.14)
【手続補正１】
【補正対象書類名】特許請求の範囲
【補正対象項目名】請求項３
【補正方法】変更
【補正の内容】
【請求項３】
前記表示制御手段が、前記表示領域を、前記多チャンネル心電図の各チャンネルに対応する区分領域に分割し、個々の区分領域に、前記多チャンネル心電図の各チャンネルから前記電流分布算出手段が求めた電流の大きさと方向を視覚的に表すパターンを表示することを特徴とする請求項１記載の心電図解析装置。
【手続補正書】
【提出日】平成21年2月13日(2009.2.13)
【手続補正１】
【補正対象書類名】特許請求の範囲
【補正対象項目名】請求項１
【補正方法】変更
【補正の内容】
【請求項１】
内部に排気通路が形成されたベース部材と、
前記ベース部材に取り付けられ内部が前記排気通路と連通する蛇腹部材と、
前記蛇腹部材の先端に取り付けられ吸着孔を有するパッド部材とを備えた真空吸着パッドであって、
前記パッド部材は、前記蛇腹部材の先端に嵌入され内部に前記吸着孔が形成された嵌入軸部を有するとともに、
前記蛇腹部材の先端には、前記嵌入軸部との間の密着状態を保持する環状弾性部材が装着されていることを特徴とする真空吸着パッド。
【手続補正２】
【補正対象書類名】明細書
【補正対象項目名】００１１
【補正方法】変更
【補正の内容】
【００１１】
以上の課題を解決するに当たり、本発明の真空吸着パッドは、内部に排気通路が形成されたベース部材と、前記ベース部材に取り付けられ内部が前記排気通路と連通する蛇腹部材と、前記蛇腹部材の先端に取り付けられ吸着孔を有するパッド部材とを備え、前記パッド部材は、前記蛇腹部材の先端に嵌入され内部に前記吸着孔が形成された嵌入軸部を有するとともに、前記蛇腹部材の先端には、前記嵌入軸部との間の密着状態を保持する環状弾性部材が装着されている。
【手続補正書】
【提出日】平成21年3月23日(2009.3.23)
【手続補正１】
【補正対象書類名】明細書
【補正対象項目名】００３８
【補正方法】変更
【補正の内容】
【００３８】
【表１】
2007313486.tif 000001
【手続補正２】
【補正対象書類名】明細書
【補正対象項目名】００４５
【補正方法】変更
【補正の内容】
【００４５】
酢酸Ｂａの代わりに、硝酸Ｎｄを用いた点以外は、前記実施例１と同様にして、ＮＯｘ還元触媒を製造した。硝酸Ｎｄの量は、触媒層３におけるＮｄ量が０．１ｍｏｌ／Ｌとなる量とした。
【手続補正３】
【補正対象書類名】明細書
【補正対象項目名】００４９
【補正方法】変更
【補正の内容】
【００４９】
なお、Ｆｅは、触媒層３のうち、上層部３ｂのみに含まれ、Ｂａは下層部３ａのみに含まれる。また、触媒層３全体におけるＦｅ量、Ｂａ量は、それぞれ、０．１５ｍｏｌ／Ｌ、０．１ｍｏｌ／Ｌであった。
【手続補正４】
【補正対象書類名】明細書
【補正対象項目名】００５９
【補正方法】変更
【補正の内容】
【００５９】
ｃ）ＮＯｘ浄化性能の評価
上記ｂ）の実験系において、エンジン１９を運転し、排ガス１７を触媒５に供給するとともに、排ガス１７の温度が２００℃以上のときは、インジェクター２１により、尿素３０％水溶液を排ガス１７に噴霧した。このとき、主な設定条件は以下のとおりとした。
【手続補正５】
【補正対象書類名】明細書
【補正対象項目名】００６０
【補正方法】変更
【補正の内容】
【００６０】
エンジン１９の燃料：Ｓ（硫黄）１０ｐｐｍ以下である市販の軽油
エンジン１９の回転数：１６００ｒｐｍ一定
触媒５の排ガス処理量：３０，０００／ｈｏｕｒ
尿素３０％水溶液の添加量：アンモニア換算で排ガス１７中のＮＯｘ量と等モル（ただし、排ガス１７の温度が２００℃以下のときは、添加を行わない。）
排ガス１７の温度は、エンジン１９の負荷を変えることにより調整し、まず、１５０℃一定とした。排ガス１７の温度が１５０℃となってから、排ガス１７の状態が安定するまで３分間待ち、排ガス分析計２３により、触媒５に入る前の排ガス１７におけるＮＯｘ濃度Ｃ１（ｐｐｍ）を測定し、また、排ガス分析計２５により、触媒５から出た排ガス１７におけるＮＯｘ濃度Ｃ２（ｐｐｍ）を測定した。
【手続補正６】
【補正対象書類名】明細書
【補正対象項目名】００７７
【補正方法】変更
【補正の内容】
【００７７】
触媒システム４８の構成を図１０に基づいて説明する。触媒システム４８では、前記実施例１０記載のＮＯｘ還元触媒５が、排気管４５の内部に取り付けられている。このとき、排気管４５の上流側に上流側触媒１５が取り付けられ、下流側に下流側触媒１１が取り付けられている。排気管４５は、上流側触媒１５を取り付けた部分と、下流側触媒１１を取り付けた部分との間に、断面性が小さい狭隘部４７を有している。また、排気管４５のうち、上流側触媒１５よりも上流側、および下流側触媒１１よりも下流側は、上流側触媒１５及び下流側触媒１１を取り付けた部分より断面積が小さくなっている。
【手続補正７】
【補正対象書類名】図面
【補正対象項目名】図９
【補正方法】変更
【補正の内容】
【図９】
2007313486.tif 000002
【手続補正８】
【補正対象書類名】図面
【補正対象項目名】図１０
【補正方法】変更
【補正の内容】
【図１０】
2007313486.tif 000003
【手続補正書】
【提出日】平成21年5月7日(2009.5.7)
【手続補正１】
【補正対象書類名】特許請求の範囲
【補正対象項目名】全文
【補正方法】変更
【補正の内容】
【特許請求の範囲】
【請求項１】
透明基材上に少なくとも透明インクジェット受像層を設け反対面に背面層を設けた透明インクジェット記録シートにおいて、基材が透明樹脂フィルムであり、背面層がバインダーと球状粒子からなり下記の要件を満たすことを特徴とする透明インクジェット記録シート。
（１）球状粒子の平均粒径Ｄが、１〜１５μｍの範囲である。
（２）球状粒子の粒径のばらつきが、Ｄ±０．４Ｄμｍの範囲内の単分散粒子である。
（３）背面層の厚さＴと球状粒子の平均粒径Ｄの関係が、Ｄ−Ｔ＝０．９−１４μｍである。
（４）記録シートの全光線透過率が８５％以上である。
（５）背面層の厚みＴが０．２〜０．４μｍの範囲内である。
（６）受像層が油性インクジェット用受像層である。
（７）受像層は、塩ビ酢ビ共重合樹脂、塩化ビニル樹脂、ウレタン樹脂、ポリエステル樹脂、アクリル樹脂より選ばれる有機溶剤吸収性樹脂を主成分とする。
【手続補正２】
【補正対象書類名】明細書
【補正対象項目名】０００６
【補正方法】変更
【補正の内容】
【０００６】
本発明は、透明基材が透明な樹脂フィルムであり、インク受像層が透明であり、背面層がバインダーと球状粒子からなり下記の要件を満たすことを特徴とする透明インクジェット記録シートである。
（１）球状粒子の平均粒径Ｄが、１〜１５μｍの範囲である。
（２）球状粒子の粒径のばらつきが、Ｄ±０．４Ｄμｍの範囲内の単分散粒子である。
（３）背面層の厚さＴと球状粒子の平均粒径Ｄの関係が、Ｄ−Ｔ＝０．９−１４μｍである。
（４）記録シートの全光線透過率が８５％以上である。
（５）背面層の厚みＴが０．２〜０．４μｍの範囲内である。
（６）受像層が油性インクジェット用受像層である。
（７）受像層は、塩ビ酢ビ共重合樹脂、塩化ビニル樹脂、ウレタン樹脂、ポリエステル樹脂、アクリル樹脂より選ばれる有機溶剤吸収性樹脂を主成分とする。
背面層を薄くしても、ブロッキングに十分効果があり、コストを安くできる。
インクの吸収が遅い油性インクジェット用受像層であったとしても、インクの裏移りの発生がないものである。
【手続補正書】
【提出日】平成21年4月30日(2009.4.30)
【手続補正１】
【補正対象書類名】特許請求の範囲
【補正対象項目名】全文
【補正方法】変更
【補正の内容】
【特許請求の範囲】
【請求項１】
指輪状の環体よりなり、その側壁に設けた接続用の取付穴と、この取付穴に着脱可能な取付軸とからなる取付手段とを有し、少なくとも前記環体の一方の切断面に引切り用の刃を設けた環状刃体と、
この環状刃体に設けた前記取付手段に接合する取手とからなる彫刻刀。
【請求項２】
指輪状の環体よりなり、その側壁に接続用として等間隔に設けた複数の取付穴と、これらの取付穴に着脱可能な取付軸とからなる取付手段を設けて、その取付位置を変えられるようにすると共に、少なくとも前記環体の一方の切断面の全周に亘って引切り用の刃を設けた環状刃体と、
この環状刃体に設けた前記複数の取付手段に接合可能な取手とからなり、この取手と前記取付手段との接合位置を変えることで、使用する刃先の位置を変えられるようにした彫刻刀。
【請求項３】
指輪状の環体よりなり、その側壁に接続用の取付穴と、この取付穴に着脱可能な取付軸とからなる取付手段を設けると共に、少なくとも前記環体の一方の切断面に、引切り用の刃を設けた環状刃体と、
この環状刃体に設けた前記取付手段と対向する側壁部で、前記刃と対向する環体頂部の切断面をカットすることで、前記環体の幅を一部狭くするように設定する傾斜と、
前記環状刃体に設けた接続用の取付手段と接合する取手とからなる彫刻刀。
【請求項４】
指輪状の環体よりなり、この環体を二分して円弧状に切断し、少なくとも二分した一方の前記切断面に引切り用の刃を設けると共に、前記切断した他端側の円弧面である側壁には、接続用の取付穴とこの取付穴に着脱可能な取付手段とを有する環状刃体と、
この環状刃体に設けた前記取付手段と接合する取手とからなる彫刻刀。
【請求項５】
指輪状の環体よりなり、その側壁に接続用の取付穴と、この取付穴に着脱可能な取付軸とからなる取付手段を設けると共に、少なくとも前記環体の一方の切断面に引切り用の刃を設けた環状刃体と、
この環状刃体に接続して片手で握って用いる取手と、
この取手に設けられ、引掛る指によって取手の握り位置を変えられると共に、選択により利き手に対応して配設可能にした指掛とからなる引切り彫刻刀に用いる引切り用の取手。
【手続補正２】
【補正対象書類名】明細書
【補正対象項目名】０００４
【補正方法】変更
【補正の内容】
【０００４】  上記不具合を解決するために、本発明は次のような構成としている。
請求項１に記載した彫刻刀は、指輪状の環体よりなり、その側壁に設けた接続用の取付穴と、この取付穴に着脱可能な取付軸とからなる取付手段を設けると共に、前記環体の一方の切断面に引切り用の刃を設けて環状刃体とした。
この環状刃体に設けた取付手段に取手を接合して引切り用の彫刻刀とした。
このような彫刻刀によれば、環体は強度があるばかりでなく、その内側に刃を設けたので刃が突出することも無くて、使用中の落下などによる危険も少ない。
請求項２に記載した彫刻刀は、請求項１に記載した彫刻刀の環体周壁に、複数の取付穴を設けることで、切れ味の悪くなった刃の位置を、変えられるようにしたものである。
このような彫刻刀によれば、切れ味を容易に復元させることができる彫刻刀である。
請求項３に記載した彫刻刀は、請求項１に記載した彫刻刀の刃と対向する環体の上側を一部カットして傾斜面を設けることで彫刻刀とした。
すなわち環体の周壁幅を一部削ることで、刃が低い空間にも入るようにしたものであり、狭い場所でも使用できるようにした。
請求項４に記載した彫刻刀は、請求項１に記載した彫刻刀の環体を、円弧状に二分すると共に、その一端側の周壁に取付穴を、二分した他端側の切断面を引切り用の刃としたものである。
このような彫刻刀によれば、刃の形によって削り面の形状を変えることが可能である。
請求項５に記載した引切り用の取手は、請求項１乃至請求項４に記載した取手に、引掛ける指によって柄の握り位置を変えられると共に、利き手に対応して配設可能な指掛を設けることで、引切り用の取手とした。
このような取手によれば、利き手が異なる場合や柄に対する握りの位置を変えることに対応することができるものである。
【手続補正書】
【提出日】平成21年5月29日(2009.5.29)
【手続補正１】
【補正対象書類名】特許請求の範囲
【補正対象項目名】全文
【補正方法】変更
【補正の内容】
【特許請求の範囲】
【請求項１】
インク供給口から導入したインクをインク吐出口から吐出可能なインクジェット記録ヘッドにおいて、
前記インク供給口と連通する第１インク流路と、該第１インク流路の途中の分岐部から分岐し、かつ、前記インク吐出口と連通する第２インク流路と、前記分岐部と外部とを連通可能であって、前記インク中の成分の沈降を許容する第３インク流路と、を備えたことを特徴とするインクジェット記録ヘッド。
【請求項２】
前記第１インク流路が前記第２インク流路と前記第３インク流路とに分岐する分岐部における前記第２インク流路の開口は、前記第１インク流路の中心線を超えない位置に形成されていることを特徴とする請求項１に記載のインクジェット記録ヘッド。
【請求項３】
前記第１インク流路と前記第３インク流路とは、直線的な構造であり、かつ、前記記録ヘッドの使用姿勢において鉛直方向に延在することを特徴とする請求項１または２に記載のインクジェット記録ヘッド。
【請求項４】
前記分岐部において、前記記録ヘッドの使用姿勢における鉛直方向に対して前記第３インク流路の分岐する角度が、前記鉛直方向に対して前記第２インク流路の分岐する角度よりも小さいことを特徴とする請求項１から３のいずれかに記載のインクジェット記録ヘッド。
【請求項５】
前記第３インク流路は、その外方端側に該第３インク流路の内部を外部に開放可能な弁機構を備えることを特徴とする請求項１から４のいずれかに記載のインクジェット記録ヘッド。
【請求項６】
前記インクジェット記録ヘッドは、前記インク供給口に連通するインクタンクを一体的に備えることを特徴とする請求項１から５のいずれかに記載のインクジェット記録ヘッド。
【請求項７】
前記インクは、顔料成分を含むことを特徴とする請求項１から６のいずれかに記載のインクジェット記録ヘッド。
【請求項８】
請求項１から７のいずれかに記載のインクジェット記録ヘッドを用いて画像を記録可能なインクジェット記録装置であって、
前記第３インク流路内に存在するインクを外部に排出する排出機構を備えることを特徴とするインクジェット記録装置。
【手続補正２】
【補正対象書類名】明細書
【補正対象項目名】００１５
【補正方法】変更
【補正の内容】
【００１５】
本発明のインクジェット記録ヘッドは、インク供給口から導入したインクをインク吐出口から吐出可能なインクジェット記録ヘッドにおいて、前記インク供給口と連通する第１インク流路と、該第１インク流路の途中の分岐部から分岐し、かつ、前記インク吐出口と連通する第２インク流路と、前記分岐部と外部とを連通可能であって、前記インク中の沈降を許容する第３インク流路と、を備えたことを特徴とする。
【手続補正３】
【補正対象書類名】明細書
【補正対象項目名】００１６
【補正方法】削除
【補正の内容】
【手続補正４】
【補正対象書類名】明細書
【補正対象項目名】００１７
【補正方法】変更
【補正の内容】
【００１７】
また、本発明のインクジェット記録装置は、上述のインクジェット記録ヘッドを用いて画像を記録可能なインクジェット記録装置であって、前記第３インク流路内に存在するインクを外部に排出する排出機構を備えることを特徴とする。
【手続補正書】
【提出日】平成21年3月12日(2009.3.12)
【手続補正１】
【補正対象書類名】特許請求の範囲
【補正対象項目名】全文
【補正方法】変更
【補正の内容】
【特許請求の範囲】
【請求項１】
インクリボンを介して用紙に印字を行うプリントヘッドと、前記インクリボンをガイドするリボンガイドと、を有する記録装置において、前記プリントヘッドに直接接触して固定される支持部材を有し、前記支持部材と前記リボンガイドは相互に異なる樹脂材料から成るとともに、前記リボンガイドは前記支持部材に着脱自在に備えられたことを特徴とする記録装置。
【請求項２】
前記プリントヘッドは放熱フィンを備え、前記支持部材は前記放熱フィンの保護カバーであることを特徴とする請求項１に記載の記録装置。
【請求項３】
放熱フィンの保護カバーは上面と前面及び左右側面を備え、リボンガイドは左右の規制部とこれらを結合した連結部及び規制部の先端にそれぞれ形成され向かい合って配置された左右のガイド部を備え、連結部は水平部と垂直部からなり、リボンガイドの連結部を放熱フィン保護カバーの上面及び前面に係合し、左右の規制部で放熱フィン保護カバーの左右側面を挟んでリボンガイドを装着するものであることを特徴とした請求項２に記載の記録装置。
【請求項４】
放熱フィンの保護カバーは上面と前面に係合凹部または係合凸部を備え、リボンガイドは連結部の水平部と垂直部に放熱フィン保護カバーの凹凸に対応させた係合凸部または係合凹部を備え、前記係合凹部に係合凸部を係合させて、リボンガイドが放熱フィン保護カバーに取付けられることを特徴とした請求項３に記載の記録装置。
【請求項５】
リボンガイドの水平部は後方へ延出した複数本の腕を有し、腕の先端にそれぞれ係合凸部又は係合凹部を備え、放熱フィン保護カバーに前記の凹凸に対応した係合凹部又は係合凸部が形成されていると共に、垂直部の下辺と放熱フィン保護カバーの前面との間に上方への移動を規制する凹凸係合が形成されていることを特徴とした請求項４に記載の記録装置。
【請求項６】
リボンガイドは放熱フィン保護カバーの前面側から後方へ押し込む一つの操作で放熱フィン保護カバーへ取り付けられることを特徴とした請求項５に記載の記録装置。
【手続補正書】
【提出日】平成21年5月15日(2009.5.15)
【手続補正１】
【補正対象書類名】特許請求の範囲
【補正対象項目名】全文
【補正方法】変更
【補正の内容】
【特許請求の範囲】
【請求項１】
往復動して止具を打撃するドライバブレードと、ブレードガイドと該ブレードガイドに対して開閉可能に設けられたガイドプレートから成る射出部と、該射出部内に前記ドライバブレードと前記止具を案内するための射出口を有し、前記ガイドプレートには回動可能なロックレバーと該ロックレバーに回動可能に取り付けられたロックスプリングを設け、前記ブレードガイドにはフックを設け、該フックの係合部に前記ロックスプリングを係合させて前記ロックレバーの操作によって前記ガイドプレートの閉じ状態をロックする打込機において、
前記係合部の係合面と前記ガイドプレートの外端面との少なくとも一方に、斜面部を形成し、前記係合部の係合面の少なくとも一部及び前記ガイドプレートの外端面との対向する面部の少なくとも一部にそれぞれ略平面部を設け、前記係合面の略平面部と前記ガイドプレートの外端面の略平面部を、略平行に形成したことを特徴とする打込機。
【手続補正２】
【補正対象書類名】明細書
【補正対象項目名】００１１
【補正方法】変更
【補正の内容】
【００１１】
上記目的を達成するため、本発明は、往復動して止具を打撃するドライバブレードと、ブレードガイドと該ブレードガイドに対して開閉可能に設けられたガイドプレートから成る射出部と、該射出部内に前記ドライバブレードと前記止具を案内するための射出口を有し、前記ガイドプレートには回動可能なロックレバーと該ロックレバーに回動可能に取り付けられたロックスプリングを設け、前記ブレードガイドにはフックを設け、該フックの係合部に前記ロックスプリングを係合させて前記ロックレバーの操作によって前記ガイドプレートの閉じ状態をロックする打込機において、前記係合部の係合面と前記ガイドプレートの外端面との少なくとも一方に、斜面部を形成し、前記係合部の係合面の少なくとも一部及び前記ガイドプレートの外端面との対向する面部の少なくとも一部にそれぞれ略平面部を設け、前記係合面の略平面部と前記ガイドプレートの外端面の略平面部を、略平行に形成したことを特徴とする。
【手続補正書】
【提出日】平成21年3月31日(2009.3.31)
【手続補正１】
【補正対象書類名】特許請求の範囲
【補正対象項目名】全文
【補正方法】変更
【補正の内容】
【特許請求の範囲】
【請求項１】
駆動源によって往復動して止具を打撃するドライバビットを備えたピストンと、ハンドル部とボディの接合部付近に設けられたトリガと、前記ドライバビットによって打撃された止具を案内する射出口を備えたテールカバーと、該テールカバーにピストン軸方向に摺動可能に支持されたプッシュレバーを有し、前記トリガの引き操作と前記プッシュレバーの被打込材への押し当て動作との協働により前記ピストンを駆動して止具を被打込材に打ち込む打込機において、
前記プッシュレバーは一方の部品と他方の部品の少なくとも２つの部品からなり、該一方の部品と該他方の部品を回動可能に連結し、該一方の部品と該他方の部品の最大回動角を前記プッシュレバーの前記テールカバーに対する最大回動角よりも大きく設定したことを特徴とする打込機。
【請求項２】
前記プッシュレバーの部品の何れか一方に袋状の嵌合凹部を形成し、該嵌合凹部に他方の部品の端部を遊嵌したことを特徴とする請求項１記載の打込機。
【請求項３】
前記プッシュレバーの部品をピンで回動可能に連結したことを特徴とする請求項１〜２の何れかに記載の打込機。
【手続補正書】
【提出日】平成21年5月19日(2009.5.19)
【手続補正１】
【補正対象書類名】明細書
【補正対象項目名】００４５
【補正方法】変更
【補正の内容】
【００４５】
溶湯保持室３５が加圧されると、下方へのガス圧により、溶湯保持室３５における溶湯Ｍの湯面は、図１において湯面レベルＬ２及び湯面レベルＬ３により例示しているように、徐々に下降し（ステップＳ３）、第２連通路３４における溶湯Ｍの湯面は上昇していく。具体的には、溶湯保持室３５の気体圧力と第２連通路３４の気体圧力（大気圧）との差に相当する高さだけ、第２連通路３４の湯面は溶湯保持室３５の湯面に対して高くなる。
【手続補正２】
【補正対象書類名】明細書
【補正対象項目名】００９０
【補正方法】変更
【補正の内容】
【００９０】
第３の実施形態は、溶湯計量室３３から射出スリーブ３への溶湯Ｍの移送を、電磁ポンプ２０２により行う点が第１の実施形態と相違する。また、炉体２２１は、蓋体２３２に不図示の大気開放穴などが設けられ、溶湯計量室３３の気圧が大気圧に維持されている点が第１の実施形態と相違する。
【手続補正３】
【補正対象書類名】明細書
【補正対象項目名】００９５
【補正方法】変更
【補正の内容】
【００９５】
第４の実施形態は、溶湯保持室３５から溶湯計量室３３への溶湯Ｍの移送を、第２の実施形態と同様に、湯面保持機構１０２により行い、また、溶湯計量室３３から射出スリーブ３への溶湯Ｍの移送を、第３の実施形態と同様に、電磁ポンプ２０２により行う点が、第１の実施形態と相違する。また、炉体３２１は、蓋体３３２に不図示の大気開放穴などが設けられ、溶湯計量室３３及び溶湯保持室３５の気圧が大気圧に維持されている点が第１の実施形態と相違する。
【手続補正書】
【提出日】平成21年5月21日(2009.5.21)
【手続補正１】
【補正対象書類名】特許請求の範囲
【補正対象項目名】全文
【補正方法】変更
【補正の内容】
【特許請求の範囲】
【請求項１】
自動車或いは車両の外面の被洗浄面に付着した汚れ等を洗浄する為の洗車機に使用する回転体の外周に複数のブラシ片を固定した洗車機用洗浄ブラシにおいて、前記ブラシ片は、前記回転体に固定される下部ブラシ片と、該下部ブラシ片とは異材質であって、且つ該下部ブラシ片に接合されて先端部まで延びる不織布及び極微細な気泡を有する多孔質化されたポリウレタンよりなる二重構造体とを有していることを特徴とする洗車機用洗浄ブラシ。
【請求項２】
自動車或いは車両の外面の被洗浄面に付着した汚れ等を洗浄する為の洗車機に使用する回転体の外周に複数のブラシ片を固定した洗車機用洗浄ブラシにおいて、前記ブラシ片は、前記回転体に固定される下部ブラシ片と、該下部ブラシ片とは異材質であって、且つ該下部ブラシ片に接合されて先端部まで延びる水流絡合型不織布とを有していることを特徴とする洗車機用洗浄ブラシ。
【請求項３】
回転体の外周に固定されたブラシ片間に合成樹脂発泡体を配置したことを特徴とする請求項１又は２に記載された洗車機用洗浄ブラシ。
【請求項４】
請求項１乃至３のいずれか１項に記載された洗車機用洗浄ブラシを搭載した洗車機。
【手続補正２】
【補正対象書類名】明細書
【補正対象項目名】０００６
【補正方法】変更
【補正の内容】
【０００６】
請求項１の発明は、自動車或いは車両の外面の被洗浄面に付着した汚れ等を洗浄する為の洗車機に使用する回転体の外周に複数のブラシ片を固定した洗車機用洗浄ブラシにおいて、前記ブラシ片は、前記回転体に固定される下部ブラシ片と、該下部ブラシ片とは異材質であって、且つ該下部ブラシ片に接合されて先端部まで延びる不織布及び極微細な気泡を有する多孔質化されたポリウレタンよりなる二重構造体とを有していることに特徴を有する。
【手続補正３】
【補正対象書類名】明細書
【補正対象項目名】０００７
【補正方法】変更
【補正の内容】
【０００７】
請求項２の発明は、自動車或いは車両の外面の被洗浄面に付着した汚れ等を洗浄する為の洗車機に使用する回転体の外周に複数のブラシ片を固定した洗車機用洗浄ブラシにおいて、前記ブラシ片は、前記回転体に固定される下部ブラシ片と、該下部ブラシ片とは異材質であって、且つ該下部ブラシ片に接合されて先端部まで延びる水流絡合型不織布とを有していることに特徴を有する。
【手続補正書】
【提出日】平成21年4月6日(2009.4.6)
【手続補正１】
【補正対象書類名】特許請求の範囲
【補正対象項目名】全文
【補正方法】変更
【補正の内容】
【特許請求の範囲】
【請求項１】
負荷に対して直列に接続される半導体素子を制御することで、前記負荷に通電を行う通電制御手段と、
前記負荷に流れる電流を検出する電流検出手段と、
前記負荷に対して印加される電圧を検出する電圧検出手段と、
前記電流検出手段によって検出される電流がしきい値を超えると前記負荷に流れる電流が第１制限レベル以下となるように制限し、前記検出電流がしきい値を超えると共に前記電圧検出手段によって検出される電圧がしきい値を下回ると、前記負荷に流れる電流が、前記第１制限レベルよりも低く設定される第２制限レベル以下となるように電流制限を行う電流制限手段とを備えることを特徴とする負荷駆動装置。
【請求項２】
前記電流制限手段は、前記電流検出手段によって検出される電流と前記電圧検出手段によって検出される電圧とに基づいて得られる前記負荷の抵抗値がしきい値を下回ると、前記負荷に流れる電流が前記第２制限レベル以下となるように制限することを特徴とする請求項１記載の負荷駆動装置。
【請求項３】
前記電流検出手段は、検出抵抗に前記負荷電流が流れた場合の端子電圧を検出するように構成され、
前記電流制限手段は、前記端子電圧と、前記電圧検出手段によって検出される電圧を抵抗分圧した電位とを比較し、前者が後者を上回った場合に前記第２制限レベルによる電流制限動作を行うように構成されていることを特徴とする請求項１記載の負荷駆動装置。
【請求項４】
前記電流制限手段は、前記検出電流がしきい値を超える状態が所定時間継続すると、前記負荷に対する通電を停止させることを特徴とする請求項１乃至３の何れかに記載の負荷駆動装置。
【請求項５】
前記負荷は、車両に搭載されるファンモータであることを特徴とする請求項１乃至４の何れかに記載の負荷駆動装置。
【請求項６】
負荷に対して直列に接続される半導体素子を制御し、
前記負荷に通電を行う場合、前記負荷に流れる電流を検出すると共に前記負荷に対して印加される電圧を検出し、
前記検出電流がしきい値を超えると前記負荷に流れる電流が第１制限レベル以下となるように制限し、
前記検出電流がしきい値を超えると共に前記検出電圧がしきい値を下回ると、前記負荷に流れる電流が、前記第１制限レベルよりも低く設定される第２制限レベル以下となるように電流制限を行なう負荷駆動制御方法。
【請求項７】
前記検出電流と前記検出電圧とに基づいて得られる前記負荷の抵抗値がしきい値を下回ると、前記負荷に流れる電流が前記第２制限レベル以下となるように制限することを特徴とする請求項６記載の負荷駆動制御方法。
【請求項８】
検出抵抗に前記負荷電流が流れた場合の端子電圧を検出し、
前記端子電圧と前記検出電圧を抵抗分圧した電位とを比較して、前者が後者を上回った場合に前記第２制限レベルによる電流制限動作を行うことを特徴とする請求項６記載の負荷駆動制御方法。
【請求項９】
前記検出電流がしきい値を超える状態が所定時間継続すると、前記負荷に対する通電を停止させることを特徴とする請求項６乃至８の何れかに記載の負荷駆動制御方法。
【請求項１０】
前記負荷を、車両に搭載されるファンモータとすることを特徴とする請求項６乃至９の何れかに記載の負荷駆動制御方法。
【手続補正書】
【提出日】平成21年1月23日(2009.1.23)
【手続補正１】
【補正対象書類名】特許請求の範囲
【補正対象項目名】全文
【補正方法】変更
【補正の内容】
【特許請求の範囲】
【請求項１】
吸口体部と延長管部とを備えた電気掃除機において、
前記延長管部を前記吸口体部に装着したときに両者をロックさせ、前記吸口体部の被清掃面に対向する底面と前記延長管部とのなす角度が所定角度開いたときに、前記延長管部と前記吸込体部とを分離可能とするロック機構が、前記吸口体部と前記延長管部とにわたって設けられていることを特徴とする電気掃除機。
【請求項２】
請求項１記載の電気掃除機において、
前記吸口体部は、吸口体と、前記吸口体と前記延長管部との間に設けられて両者を連通可能とすると共に前記吸口体の進退方向に傾動する継ぎ手部とを有し、前記ロック機構は、前記継ぎ手部に設けられると共に一方に系合部を有し他方に被押圧部を有した手段と、前記延長管部に設けられると共に前記系合部に系合される被系合部と、前記被押圧部に当接して前記系合部を前記被系合部に系合する方向に付勢する弾性部材と、前記吸口体部に設けられると共に前記底面と前記延長管部とのなす角度が前記所定角度開いたときに前記被押圧部を前記弾性部材に抗して押圧して前記系合部と前記被系合部との系合を外すことによりロックを解除する押圧部とを備えたことを特徴とする電気掃除機。
【請求項３】
請求項１または２記載の電気掃除機において、
前記延長管部の前記吸込体部との接続部位に掃除用の他のアタッチメントを設けたことを特徴とする電気掃除機。
【請求項４】
吸引気流を発生させ、発生した気流によりゴミを集塵する電気掃除機において、
ゴミを収集して格納する本体側のダストケースを有する掃除機本体と、掃除機本体に接続可能なホース部と、該ホース部に接続可能で内部に風路を形成したグリップ部と、該グリップ部に接続可能で風路を形成した延長管部と、該延長管部に接続可能な床用吸口体部とを備え、前記延長管部と床用吸口体部とは床用吸口体部に回動可能に設けられた吸口継ぎ手部を介して接続されており、前記床用吸口体部の吸口面を床面に置いた状態で、前記延長管部を略垂直に立てたとき、前記延長管部と床用吸口体部に設けられた前記吸口継ぎ手部とを接続していたロックが解除され、前記延長管部と前記床用吸口体部とが分離可能となるように構成したことを特徴とする電気掃除機。
【請求項５】
吸引気流を発生させ、発生した気流によりゴミを集塵する電気掃除機において、
ゴミを収集して格納する本体側のダストケースを有する掃除機本体と、掃除機本体に接続可能なホース部と、該ホース部に接続可能で内部に風路を形成したグリップ部と、該グリップ部に接続可能で風路を形成した延長管部と、該延長管部に接続可能な床用吸口体部とを備え、前記延長管部と床用吸口体部とは床用吸口体部に回動可能に設けられた吸口継ぎ手部を介して接続され、前記床用吸口体部には、前記延長管部と床用吸口体部に設けられた前記吸口継ぎ手部とを接続していたロックを解除するペダルが設けられており、前記床用吸口体部の吸口面を床面に置いた状態で、前記延長管部を略垂直に立てて、前記ペダルを操作したとき、前記延長管部と床用吸口体部に設けられた前記吸口継ぎ手部とを接続していたロックが解除され、前記延長管部と前記床用吸口体部とが分離可能となるように構成したことを特徴とする電気掃除機。
【請求項６】
請求項４または５記載の電気掃除機において、
前記床用吸口体部は、前記延長管部と前記床用吸口体部とが分離された状態で、前記床用吸口体部に設けられた前記吸口継ぎ手部を前後方向の所定の角度に保持する機構を備えることを特徴とする電気掃除機。
【請求項７】
請求項４、５または６記載の電気掃除機において、
前記床用吸口体部は、前記床用吸口体部に前記延長管部を接続する際のガイド部材を備えることを特徴とする電気掃除機。
【請求項８】
請求項４ないし７のうちいずれか１記載の電気掃除機において、
前記床用吸口体部は、前記延長管部と前記床用吸口体部とが分離された状態で、前記床用吸口体部に設けられた前記吸口継ぎ手部を左右方向の所定の角度に保持する機構を備えることを特徴とする電気掃除機。
【手続補正２】
【補正対象書類名】明細書
【補正対象項目名】０００５
【補正方法】変更
【補正の内容】
【０００５】
本発明によれば前記目的は、吸口体部と延長管部とを備えた電気掃除機において、前記延長管部を前記吸口体部に装着したときに両者をロックさせ、前記吸口体部の被清掃面に対向する底面と前記延長管部とのなす角度が所定角度開いたときに、前記延長管部と前記吸込体部とを分離可能とするロック機構が、前記吸口体部と前記延長管部とにわたって設けられたことにより達成される。
また、前記目的は、吸引気流を発生させ、発生した気流によりゴミを集塵する電気掃除機において、ゴミを収集して格納する本体側のダストケースを有する掃除機本体と、掃除機本体に接続可能なホース部と、該ホース部に接続可能で内部に風路を形成したグリップ部と、該グリップ部に接続可能で風路を形成した延長管部と、該延長管部に接続可能な床用吸口体部とを備え、前記延長管部と床用吸口体部とは床用吸口体部に回動可能に設けられた吸口継ぎ手部を介して接続されており、前記床用吸口体部の吸口面を床面に置いた状態で、前記延長管部を略垂直に立てたとき、前記延長管部と床用吸口体部に設けられた前記吸口継ぎ手部とを接続していたロックが解除され、前記延長管部と前記床用吸口体部とが分離可能となるように構成したことにより達成される。
【手続補正３】
【補正対象書類名】明細書
【補正対象項目名】０００７
【補正方法】変更
【補正の内容】
【０００７】
本発明によれば、吸口体の底面と延長管部とのなす角度が所定角度開いたとき、前記延長管部と床用吸口体部に設けられた前記吸口継ぎ手部とを接続していたロックが解除されるので、あるいは、床用吸口体部に設けた延長管部と床用吸口体部に設けられた吸口継ぎ手部とを接続していたロックを解除するペダルを足先等で操作することにより、前記延長管部と床用吸口体部に設けられた前記吸口継ぎ手部とを接続していたロックが解除されるので、延長管部を上方に引くだけで容易に延長管部を床用吸口体部から切り離すことができる。
【手続補正書】
【提出日】平成21年9月11日(2009.9.11)
【手続補正１】
【補正対象書類名】特許請求の範囲
【補正対象項目名】全文
【補正方法】変更
【補正の内容】
【特許請求の範囲】
【請求項１】
遊技機全体の遊技動作を制御する主制御手段と、音発生手段と、前記主制御手段から出力されるコマンド信号に基づいて前記音発生手段を制御する音制御手段と、表示手段あるいは発光手段の少なくとも一方と、前記主制御手段から出力されるコマンド信号に基づいて前記表示手段を制御する表示制御手段あるいは前記主制御手段から出力されるコマンド信号に基づいて前記発光手段を制御する発光制御手段の少なくとも一方を備える遊技機であって、
前記音制御手段は、音データＲＯＭを有し、前記主制御手段から出力されるコマンド信号に対応する音信号を作成する音信号作成部と、パワーアンプを有し、前記音信号作成部で作成された音信号を増幅して前記音発生手段に出力する音信号増幅部により構成されており、前記音信号作成部は、前記表示制御手段あるいは前記発光制御手段の少なくとも一方が配設されている第１の基板に配設され、前記音信号増幅部は、前記第１の基板に接続されている第２の基板に配設されていることを特徴とする遊技機。
【請求項２】
請求項１に記載の遊技機であって、前記音信号作成部は、オペアンプにより構成されているプリアンプを有していることを特徴とする遊技機。
【請求項３】
請求項２に記載の遊技機であって、
前記第２の基板には、電源回路が配設されているとともに、前記電源回路の電源出力端子に接続される電源端子と接地端子の組が少なくとも２組設けられており、
前記第１の基板には、前記第２の基板に設けられている少なくとも２組の電源端子と接地端子それぞれに接続される２組の電源端子と接地端子が設けられているとともに、前記第１の基板の一方の組の電源端子と接地端子には、前記プリアンプが接続され、他方の組の電源端子と接地端子には、他の構成要素が接続されていることを特徴とする遊技機。
【請求項４】
請求項２または３に記載の遊技機であって、
前記音信号作成部は、前記プリアンプから出力される音信号を増幅する増幅手段を有しており、
前記音信号増幅部は、前記パワーアンプの前段に設けられ、入力された音信号を減衰させる減衰手段を有していることを特徴とする遊技機。
【請求項５】
請求項１〜４のいずれかに記載の遊技機であって、本体枠と、前記本体枠に着脱自在な遊技盤を有し、前記第１の基板は、前記遊技盤に配置され、前記第２の基板は、前記本体枠に配置されることを特徴とする遊技機。
【手続補正２】
【補正対象書類名】明細書
【補正対象項目名】０００４
【補正方法】変更
【補正の内容】
【０００４】
第１発明は、請求項１に記載されたとおりの遊技機である。
請求項１に記載の遊技機は、
遊技機全体の遊技動作を制御する主制御手段と、音発生手段と、前記主制御手段から出力されるコマンド信号に基づいて前記音発生手段を制御する音制御手段と、表示手段あるいは発光手段の少なくとも一方と、前記主制御手段から出力されるコマンド信号に基づいて前記表示手段を制御する表示制御手段あるいは前記主制御手段から出力されるコマンド信号に基づいて前記発光手段を制御する発光制御手段の少なくとも一方を備える遊技機であって、
前記音制御手段は、音データＲＯＭを有し、前記主制御手段から出力されるコマンド信号に対応する音信号を作成する音信号作成部と、パワーアンプを有し、前記音信号作成部で作成された音信号を増幅して前記音発生手段に出力する音信号増幅部により構成されており、前記音信号作成部は、前記表示制御手段あるいは前記発光制御手段の少なくとも一方が配設されている第１の基板に配設され、前記音信号増幅部は、前記第１の基板に接続されている第２の基板に配設されていることを特徴とする。
第２発明は、請求項２に記載されたとおりの遊技機である。
請求項２に記載の遊技機は、請求項１に記載の遊技機であって、前記音信号作成部は、オペアンプにより構成されているプリアンプを有していることを特徴とする。
第３発明は、請求項３に記載されたとおりの遊技機である。
請求項３に記載の遊技機は、請求項２に記載の遊技機であって、前記第２の基板には、電源回路が配設されているとともに、前記電源回路の電源出力端子に接続される電源端子と接地端子の組が少なくとも２組設けられており、前記第１の基板には、前記第２の基板に設けられている少なくとも２組の電源端子と接地端子それぞれに接続される２組の電源端子と接地端子が設けられているとともに、前記第１の基板の一方の組の電源端子と接地端子には、前記プリアンプが接続され、他方の組の電源端子と接地端子には、他の構成要素が接続されていることを特徴とする。
プリアンプが第１の基板に、パワーアンプが第２の基板に配設されている場合、第１の基板の共通の電源にプリアンプを接続すると、プリアンプの基準電圧が変動し、スピーから出力される音の音質が悪化する可能性がある。本発明を用いれば、第１の基板に設けられている他の構成要素に流れる電流によるプリアンプの基準電圧の変動を抑制することができ、スピーカから出力される音の音質の悪化を防止することができる。
第４発明は、請求項４に記載されたとおりの遊技機である。
請求項４に記載の遊技機は、請求項２または３に記載の遊技機であって、前記音信号作成部は、前記プリアンプから出力される音信号を増幅する増幅手段を有しており、前記音信号増幅部は、前記パワーアンプの前段に設けられ、入力された音信号を減衰させる減衰手段を有していることを特徴とする。
本発明を用いれば、第１の基板と第２の基板を接続するハーネスを流れる音信号のレベルが増大（すなわち、Ｓ／Ｎ比が増大）するため、ハーネスを介して進入したノイズの影響を低減することができ、音発生手段から出力される音の音質の悪化を防止することができる。
第５発明は、請求項５に記載されたとおりの遊技機である。
請求項５に記載の遊技機は、請求項１〜４のいずれかに記載の遊技機であって、本体枠と、前記本体枠に着脱自在な遊技盤を有し、前記第１の基板は、前記遊技盤に配置され、前記第２の基板は、前記本体枠に配置されることを特徴とする。
【手続補正３】
【補正対象書類名】明細書
【補正対象項目名】０００５
【補正方法】変更
【補正の内容】
【０００５】
請求項１〜５に記載の遊技機を用いれば、音制御手段を構成する音信号作成部と音信号増幅部のうちの音信号増幅部を、他の制御部と音信号作成部が配設されている基板と異なる基板に配設しているため、音制御装置を含む複数の制御装置を構成する構成要素が配設された制御基板の占有面積を効果的に減少させることができる。また、音信号増幅部を再利用することができる。
【手続補正書】
【提出日】平成20年12月22日(2008.12.22)
【手続補正１】
【補正対象書類名】特許請求の範囲
【補正対象項目名】全文
【補正方法】変更
【補正の内容】
【特許請求の範囲】
【請求項１】
肺をイメージングする方法（４００）であって、
患者（２０）の少なくとも肺断面の一連の画像スキャンをトリガし（４３０）、
前記患者（２０）による空気の吸息及び呼息の少なくとも一方の間に肺の複数の断面をスキャンして肺画像データを取得し（４２０、４３０）、
前記患者（２０）による空気の吸息及び呼息の少なくとも一方の間に局所的な肺機能を測定して局所的な肺機能データを取得し（４３０、４４５）、
肺断面の一連の画像スキャンから複数の局所的な肺画像を再構成し、前記肺の断面画像を生成し、
異なる時点における肺の一部の面積に基づいた前記患者（２０）の診断に用いるために、前記複数の局所的な肺画像の肺画像データと前記肺機能データを組み合わせる（４５０）、
ことを含む方法。
【請求項２】
前記肺画像データと前記肺機能データを出力すること（４５５）を更に含む請求項１に記載の方法（４００）。
【請求項３】
前記トリガ段階が、前記患者の肺の空気の流れに基づいて前記画像スキャンをトリガすることを含む請求項１に記載の方法（４００）。
【請求項４】
前記スキャン段階によって、前記肺の空気の流れと肺の空気容量の少なくとも１つが変化するときの前記肺画像データが動的に取得されることを特徴とする請求項１に記載の方法（４００）。
【請求項５】
前記スキャン段階によって、前記肺の空気の流れと肺の空気容量の少なくとも１つが一定に保たれるときの前記肺画像データが取得されることを特徴とする請求項１に記載の方法（４００）。
【請求項６】
診断用イメージングシステム（８、３００）であって、
肺の空気の流れ、前記肺の体積、前記肺の動き、及び前記肺の密度の少なくとも１つに基づいて患者（２０）のイメージング・スキャンをトリガするトリガと、
ターゲット（１４、３３０）に当てる電子ビーム（１２）を発生させるエネルギー供給源（３２、３２４）と、
前記電子ビーム（１２）に応答して、前記患者（２０）の肺の少なくとも一部に照射される放射線を発生させるターゲット（１４、３３０）と、
前記イメージング・スキャンの際に前記患者（２０）の肺に前記放射線が照射された後に、前記放射線を受ける検出器（２２、３４０）と、
前記放射線に基づいて前記検出器（２２、３４０）から肺画像データを取得するデータ収集システム（３６０）と、
前記患者（２０）の診断に用いるために、局所的な肺機能データと前記肺画像データとを組み合わせる再構成システム（３６２）と、
を備え、
第１の位置における前記肺の第１の部分がスキャンされ、
前記再構成システム（３６２）は、前記第１の位置における前記肺の第１の画像を再構成し、
第２の位置における前記肺の第２の部分がスキャンされ、
前記再構成システム（３６２）は、前記第２の位置における前記肺の第２の画像を再構成し、
前記肺の異常を検出するために、抽出された局所的な肺機能データが前記第１及び第２の画像組み合わせる、
システム（８、３００）。
【請求項７】
前記データ収集システム（３６０）は、前記肺の空気の流れと肺の空気容量の少なくとも１つが一定に保たれるときの肺画像データを取得することを特徴とする請求項６に記載のシステム（８、３００）。
【請求項８】
患者（２０）の肺機能を測定し、前記肺の空気の流れと肺の空気体積の少なくとも１つに基づく局所的な肺機能データを生成する肺活量計（３７０）を更に含むことを特徴とする請求項６に記載のシステム（８、３００）。
【請求項９】
前記トリガは、前記肺活量計（３７０）からの前記局所的な肺機能データに基づいて前記イメージング・スキャンをトリガすることを特徴とする請求項８に記載のシステム（８、３００）。
【請求項１０】
患者（２０）の肺の異常を検出する方法（４００）であって、
肺の空気の流れと肺の空気体積の少なくとも１つに基づく局所的な肺機能データを取得し（４２０、４３０、４４５）、
前記局所的な肺機能データに基づいて前記肺のスキャンをトリガし（４３０）、
第１の位置において前記肺の第１の断面をスキャンして、一回の掃引で肺画像を取得し（４３０）、
前記第１の位置における前記肺の第１の画像を再構成し、
第２の位置において前記肺の第２の断面をスキャンし、
前記第２の位置における前記肺の第２の画像を再構成し、
肺の異常を検出するために、前記局所的な肺機能データを前記肺断面画像と組み合わせて検査する（４５０）、
ことを含む方法（４００）。
【手続補正書】
【提出日】平成21年11月4日(2009.11.4)
【手続補正１】
【補正対象書類名】特許請求の範囲
【補正対象項目名】全文
【補正方法】変更
【補正の内容】
【特許請求の範囲】
【請求項１】
シートを積載するシート積載手段と、
シートを給送するための円周の一部を欠いた形状の給紙ローラと、
給紙ローラの外径よりも小さく且つ該給紙ローラの軸心から欠円部までの長さよりも大きい外径を有し、前記給紙ローラの同心軸上に回転可能に設けられた回転体と、
前記回転体の外周に設けた弾性体層と、を備え、
前記弾性体層は、基底部と、複数の茸形状で形成された微細構造体と、を備えていることを特徴とするシート給送装置。
【請求項２】
シートを積載するシート積載手段と、
シートを給送するための円周の一部を欠いた形状の給紙ローラと、
給紙ローラの外径よりも小さく且つ該給紙ローラの軸心から欠円部までの長さよりも大きい外径を有し、前記給紙ローラの同心軸上に回転可能に設けられた回転体と、
前記回転体の外周に設けた弾性体層と、を備え、
前記弾性体層は、基底部と、複数の球形状、半球状又は円盤状で形成された微細構造体と、を備えていることを特徴とするシート給送装置。
【請求項３】
前記回転体と前記シート積載手段に積載されているシート束との間に形成されるニップ部を先行するシートの後端が通過完了する直前に、前記微細構造体が後続するシートの先端側に接触して送り出すことにより、先行するシートの後端側と後続するシートの先端側とを重ねて同時に給送するように構成したことを特徴とする請求項１又は請求項２に記載のシート給送装置。
【請求項４】
前記給紙ローラにより送り出されるシートを分離するための分離手段を備え、前記給紙ローラによるシート給送時には前記分離手段との間でシートを一枚ずつ分離し、前記給紙ローラが停止しているときには、前記分離手段と前記回転体とが対向することを特徴とする請求項１乃至請求項３のいずれか１項に記載のシート給送装置。
【請求項５】
前記弾性体層の前記基底部と前記微細構造体とは弾性材料で一体に形成されていることを特徴とする請求項１乃至請求項４のいずれか１項に記載のシート給送装置。
【請求項６】
前記微細構造体は、前記基底部に設けられる脚部と、シートと当接可能な頭部とから構成されることを特徴とする請求項１乃至請求項５のいずれか１項に記載のシート給送装置。
【請求項７】
前記脚部は前記頭部側に向かうに従って徐々に細くなる錐形状であることを特徴とする請求項６に記載のシート給送装置。
【請求項８】
前記回転体の外周全域に設けられた弾性体層の表面に、前記微細構造体が１５．５個／ｃｍ２以上の空間配列密度で、０．２５４ｍｍ〜１２７ｍｍの高さＨと０．０７６ｍｍ〜０．７６ｍｍの横断方向最大寸法Ｄとをアスペクト比Ｈ／Ｄ≧１２５の条件でもって一体成形されてなっていることを特徴とする請求項１乃至請求項７のいずれか１項に記載のシート給送装置。
【請求項９】
請求項１乃至請求項８のいずれか１項に記載のシート給送装置と、
前記シート給送装置から送り出されたシートに画像を形成する画像形成部と、
を備えたことを特徴とする画像形成装置。
【手続補正２】
【補正対象書類名】明細書
【補正対象項目名】００１０
【補正方法】変更
【補正の内容】
【００１０】
上記目的を達成するために、本発明によるシート給送装置は、シートを積載するシート積載手段と、シートを給送するための円周の一部を欠いた形状の給紙ローラと、給紙ローラの外径よりも小さく且つ該給紙ローラの軸心から欠円部までの長さよりも大きい外径を有し、前記給紙ローラの同心軸上に回転可能に設けられた回転体と、前記回転体の外周に設けた弾性体層と、を備え、前記弾性体層は、基底部と、複数の茸形状で形成された微細構造体と、を備えていることを特徴とする。
また、本発明による他のシート給送装置は、シートを積載するシート積載手段と、シートを給送するための円周の一部を欠いた形状の給紙ローラと、給紙ローラの外径よりも小さく且つ該給紙ローラの軸心から欠円部までの長さよりも大きい外径を有し、前記給紙ローラの同心軸上に回転可能に設けられた回転体と、前記回転体の外周に設けた弾性体層と、を備え、前記弾性体層は、基底部と、複数の球形状、半球状又は円盤状で形成された微細構造体と、を備えていることを特徴とする。